(57)【特許請求の範囲】
【請求項１】
オリジナルディジタル入力画像を表示してその画像サイズ情報を出力する画像表示手段と、
入力された指示に基づき表示されているオリジナルディジタル入力画像中の注目点を指定する注目点指定手段と、
上記注目点に関する関連情報を入力し関連情報のテキストを出力する関連情報出力手段と、
上記関連情報のテキストを付加情報に変換して出力すると共に上記注目点毎の付加情報量を出力する付加情報変換手段と、
上記付加情報量を含む領域管理情報を出力すると共に、上記画像サイズ情報と上記付加情報量に基づき上記オリジナルディジタル入力画像中に上記付加情報の埋め込み領域を配分して領域情報として出力する埋め込み領域配分手段と、
上記領域管理情報を上記オリジナルディジタル入力画像中の所定領域に埋め込むと共に、上記領域情報に基づき上記オリジナルディジタル入力画像中に上記付加情報を埋め込んで透かし入り画像を出力する情報埋め込み手段とを備えた情報処理装置。
【請求項２】
上記注目点指定手段は指定した注目点の座標情報を出力し、
上記埋め込み領域配分手段は上記領域管理情報に上記注目点の座標情報を含めて出力することを特徴とする請求の範囲第１項記載の情報処理装置。
【請求項３】
上記注目点指定手段は指定した注目点の座標情報を出力し、
上記付加情報変換手段は上記付加情報に上記注目点の座標情報を含めて出力することを特徴とする請求の範囲第１項記載の情報処理装置。
【請求項４】
上記注目点指定手段は指定した注目点のマーク情報を出力し、
上記付加情報変換手段は上記付加情報に上記注目点のマーク情報を含めて出力することを特徴とする請求の範囲第１項記載の情報処理装置。
【請求項５】
上記画像サイズ情報と上記付加情報量に基づき埋め込み可能な残付加情報量を出力する関連情報調整手段を備え、
上記関連情報入力手段は上記残付加情報量に基づき関連情報を入力することを特徴とする請求の範囲第１項記載の情報処理装置。
【請求項６】
上記注目点指定手段は指定した注目点の座標情報を出力し、
上記関連情報入力手段は入力した関連情報のテキストの文字数を出力し、
上記注目点の座標情報と上記関連情報のテキストの文字数に基づき、上記オリジナルディジタル入力画像中に上記関連情報を表示させる表示位置を、表示される注目点と重ならないように設定して表示位置情報を出力する表示位置設定手段を備え、
上記付加情報変換手段は上記付加情報に上記表示位置情報を含めて出力することを特徴とする請求の範囲第１項記載の情報処理装置。
【請求項７】
上記注目点指定手段は指定した注目点のマーク情報を出力し、
上記表示位置設定手段は上記注目点のマーク情報を考慮して上記表示位置を設定することを特徴とする請求の範囲第６項記載の情報処理装置。
【請求項８】
注目点の関連情報のテキストを含む付加情報と上記注目点毎の付加情報量を含む領域管理情報とが埋め込まれている透かし入り画像の所定領域から領域管理情報を検出して出力し、後述の領域情報に基づき上記透かし入り画像から上記付加情報を検出して出力し、上記透かし入り画像からディジタル出力画像を出力する情報検出手段と、
上記ディジタル出力画像を表示してその画像サイズ情報を出力する画像表示手段と、
上記画像サイズ情報と上記領域管理情報に含まれている付加情報量に基づき上記ディジタル出力画像中に上記付加情報の埋め込み領域を配分して領域情報として出力する埋め込み領域配分手段と、
上記情報検出手段により検出された付加情報を逆変換して注目点の関連情報のテキストを出力する付加情報逆変換手段と、
上記領域管理情報又は上記付加情報に含まれている注目点の座標情報に基づき、指示された注目点を上記ディジタル出力画像中に表示する注目点表示手段と、
上記注目点の関連情報のテキストを入力してその文字数を出力し、後述の表示位置情報に基づき、上記ディジタル出力画像中に関連情報を表示する関連情報表示手段と、
上記注目点の座標情報と上記テキストの文字数に基づき、表示される注目点と重ならないように関連情報の表示位置を設定して表示位置情報を出力する表示位置設定手段とを備えた情報処理装置。
【請求項９】
上記注目点表示手段は上記付加情報に含まれているマーク情報に基づき注目点を表示し、
上記表示位置設定手段は上記マーク情報を考慮して関連情報の表示位置を設定することを特徴とする請求の範囲第８項記載の情報処理装置。
【請求項１０】
上記情報検出手段は、上記領域管理情報を検出して出力後に、上記透かし入り画像から上記領域管理情報を解除することを特徴とする請求の範囲第８項記載の情報処理装置。
【請求項１１】
上記情報検出手段は、上記付加情報を検出して出力後に、上記透かし入り画像から上記付加情報を解除することを特徴とする請求の範囲第８項記載の情報処理装置。
【請求項１２】
注目点の関連情報のテキストを含む付加情報と上記注目点毎の付加情報量を含む領域管理情報とが埋め込まれている透かし入り画像の所定領域から領域管理情報を検出して出力し、後述の領域情報に基づき上記透かし入り画像から上記付加情報を検出して出力し、上記透かし入り画像からディジタル出力画像を出力する情報検出手段と、
上記ディジタル出力画像を表示してその画像サイズ情報を出力する画像表示手段と、
上記画像サイズ情報と上記領域管理情報に含まれている付加情報量に基づき上記ディジタル出力画像中に上記付加情報の埋め込み領域を配分して領域情報として出力する埋め込み領域配分手段と、
上記情報検出手段により検出された付加情報を逆変換して、注目点の関連情報のテキストと、表示される注目点と重ならないように設定されている上記関連情報の表示位置を示す表示位置情報を出力する付加情報逆変換手段と、
上記領域管理情報又は上記付加情報に含まれている注目点の座標情報に基づき、指示された注目点を上記ディジタル出力画像中に表示する注目点表示手段と、
上記注目点の関連情報のテキストを入力し、上記表示位置情報に基づき、上記ディジタル出力画像中に関連情報を表示する関連情報表示手段とを備えた情報処理装置。
【請求項１３】
上記注目点表示手段は上記付加情報に含まれているマーク情報に基づき注目点を表示することを特徴とする請求の範囲第１２項記載の情報処理装置。
【請求項１４】
オリジナルディジタル入力画像を表示してその画像サイズ情報を出力するステップと、
入力された指示に基づき表示されているオリジナルディジタル入力画像中の注目点を指定するステップと、
上記注目点に関する関連情報を入力し関連情報のテキストを出力するステップと、
上記関連情報のテキストを付加情報に変換して出力すると共に上記注目点毎の付加情報量を出力するステップと、
上記付加情報量を含む領域管理情報を出力すると共に、上記画像サイズ情報と上記付加情報量に基づき上記オリジナルディジタル入力画像中に上記付加情報の埋め込み領域を配分して領域情報として出力するステップと、
上記領域管理情報を上記オリジナルディジタル入力画像中の所定領域に埋め込むと共に、上記領域情報に基づき上記オリジナルディジタル入力画像中に上記付加情報を埋め込んで透かし入り画像を出力するステップとを備えた情報処理方法。
【請求項１５】
注目点の関連情報のテキストを含む付加情報と上記注目点毎の付加情報量を含む領域管理情報とが埋め込まれている透かし入り画像の所定領域から領域管理情報を検出して出力し、上記透かし入り画像からディジタル出力画像を出力するステップと、
上記ディジタル出力画像を表示してその画像サイズ情報を出力するステップと、
上記画像サイズ情報と上記領域管理情報に含まれている付加情報量に基づき上記ディジタル出力画像中に上記付加情報の埋め込み領域を配分して領域情報として出力するステップと、
上記領域情報に基づき上記透かし入り画像から付加情報を検出して出力するステップと、
上記検出された付加情報を逆変換して注目点の関連情報のテキストを出力するステップと、
上記領域管理情報又は上記付加情報に含まれている注目点の座標情報に基づき、指示された注目点を上記ディジタル出力画像中に表示するステップと、
上記注目点の関連情報のテキストを入力してその文字数を出力するステップと、
上記注目点の座標情報と上記テキストの文字数に基づき、表示される注目点と重ならないように関連情報の表示位置を設定して表示位置情報を出力するステップと、
上記関連情報のテキストを入力し、上記表示位置情報に基づき上記ディジタル出力画像中に関連情報を表示するステップとを備えた情報処理方法。
【請求項１６】
注目点の関連情報のテキストを含む付加情報と上記注目点毎の付加情報量を含む領域管理情報とが埋め込まれている透かし入り画像の所定領域から領域管理情報を検出して出力し、上記透かし入り画像からディジタル出力画像を出力するステップと、
上記ディジタル出力画像を表示してその画像サイズ情報を出力するステップと、
上記画像サイズ情報と上記領域管理情報に含まれている付加情報量に基づき上記ディジタル出力画像中に上記付加情報の埋め込み領域を配分して領域情報として出力するステップと、
上記領域情報に基づき上記透かし入り画像から付加情報を検出して出力するステップと、
上記検出された付加情報を逆変換して、注目点の関連情報のテキストと、表示される注目点と重ならないように設定されている上記関連情報の表示位置を示す表示位置情報を出力するステップと、
上記領域管理情報又は上記付加情報に含まれている注目点の座標情報に基づき、指示された注目点を上記ディジタル出力画像中に表示するステップと、
上記注目点の関連情報のテキストを入力し、上記表示位置情報に基づき上記ディジタル出力画像中に関連情報を表示するステップとを備えた情報処理方法。
【発明の詳細な説明】
【技術分野】
【０００１】
この発明は、ディジタル画像に電子透かしによって注目点に関する関連情報を埋め込んだり、埋め込まれている関連情報を検出する情報処理装置及び情報処理方法に関するものである。
【背景技術】
【０００２】
従来の情報処理装置は、例えば特許文献１に示すように、まずユーザが関心領域を指定し、その関心領域情報の位置情報を得て、次にその付属情報（利用情報）と共に付加情報を構成し、電子透かし手法によりオリジナル画像データ全体あるいは指定した関心領域をそのまま埋め込み領域として付加情報を埋め込むによって、画像データと付加情報を分割することなく一体管理を行っている。この特許文献１では、パッチワーク法、信頼度距離等の電子透かしの基本手法についても記載され、付加情報を埋め込んだ関心領域の境界を強調表示することによって、検出された画像上の関心領域の位置表示を行っている。【０００３】
【特許文献１】特開２００２−１９０９４５号公報（段落番号００５８〜００６１，００６５〜００８１，０１５８）
【０００４】
従来の情報処理装置は以上のように構成されているので、最初にユーザが関心領域を指定するが、特に関心領域にのみ付加情報を埋め込む形態の場合に、埋め込むべき付加情報量を参照しておらず、関心領域に埋め込む付加情報量が未確定の段階では、指定する関心領域を余裕を持って大きめに確保しておかなければならないために、特に画像に埋め込める付加情報量が限られるときに、効率的に付加情報を埋め込むことができないという課題があった。【０００５】
また、画像上の関心領域を大きめに指定しなければならないために、実際に意図する関心領域だけを効果的に示すことができないという課題があった。【０００６】
この発明は、上記のような課題を解決するためになされたもので、ユーザにより指定された画像上の注目する１点の注目点に関する関連情報を含む付加情報の量を参照してから、埋め込むために必要な埋め込み領域を適切に配分することにより、全体画像領域上に付加情報を効率的に埋め込むことができると共に、意図する関心領域としての注目点とその関連情報だけを効果的に示すことができる情報処理装置及び情報処理方法を得ることを目的とする。
【発明の開示】
【０００７】
この発明に係る情報処理装置は、オリジナルディジタル入力画像を表示してその画像サイズ情報を出力する画像表示手段と、入力された指示に基づき表示されているオリジナルディジタル入力画像中の注目点を指定する注目点指定手段と、上記注目点に関する関連情報を入力し関連情報のテキストを出力する関連情報出力手段と、上記関連情報のテキストを付加情報に変換して出力すると共に上記注目点毎の付加情報量を出力する付加情報変換手段と、上記付加情報量を含む領域管理情報を出力すると共に、上記画像サイズ情報と上記付加情報量に基づき上記オリジナルディジタル入力画像中に上記付加情報の埋め込み領域を配分して領域情報として出力する埋め込み領域配分手段と、上記領域管理情報を上記オリジナルディジタル入力画像中の所定領域に埋め込むと共に、上記領域情報に基づき上記オリジナルディジタル入力画像中に上記付加情報を埋め込んで透かし入り画像を出力する情報埋め込み手段とを備えたものである。
【０００８】
この発明により、全体画像領域上に付加情報を効率的に埋め込むことができると共に、意図する関心領域だけを効果的に示すことができるいう効果が得られる。
【図面の簡単な説明】
【０００９】
【図１】この発明の実施の形態１による埋め込み側の情報処理装置の構成を示すブロック図である。
【図２】この発明の実施の形態１による検出側の情報処理装置の構成を示すブロック図である。
【図３】この発明の実施の形態１による情報処理装置における注目点の座標情報が領域管理情報に含まれる場合の領域管理情報及び付加情報のフォーマットの例を示す図である。
【図４】この発明の実施の形態１による情報処理装置における注目点の座標情報が付加情報に含まれる場合の領域管理情報及び付加情報のフォーマットの例を示す図である。
【図５】この発明の実施の形態１による埋め込み側の情報処理装置の処理例を説明する概念図である。
【図６】この発明の実施の形態１による埋め込み側の情報処理装置における情報埋め込み手段の内部構成を示すブロック図である。
【図７】この発明の実施の形態１による埋め込み側の情報処理装置の処理例を説明する他の概念図である。
【図８】この発明の実施の形態１による埋め込み側の情報処理装置における情報埋め込み手段の内部構成を示すブロック図である。
【図９】この発明の実施の形態１による検出側の情報処理装置の処理例を説明する概念図である。
【図１０】この発明の実施の形態１による検出側の情報処理装置における情報検出手段の内部構成を示すブロック図である。
【図１１】この発明の実施の形態１による検出側の情報処理装置における情報検出手段の内部構成を示すブロック図である。
【図１２】この発明の実施の形態１による検出側の情報処理装置における情報検出手段の内部構成を示すブロック図である。
【図１３】この発明の実施の形態２による埋め込み側の情報処理装置の構成を示すブロック図である。
【図１４】この発明の実施の形態３による埋め込み側の情報処理装置の構成を示すブロック図である。
【図１５】この発明の実施の形態３による検出側の情報処理装置の構成を示すブロック図である。
【図１６】この発明の実施の形態３による情報処理装置における注目点の座標情報が領域管理情報に含まれる場合の付加情報のフォーマットの例を示す図である。
【図１７】この発明の実施の形態３による情報処理装置における注目点の座標情報が付加情報に含まれる場合の付加情報のフォーマットの例を示す図である。
【図１８】この発明の実施の形態３による情報処理装置における付加情報に注目点の関連情報のテキストのみが含まれる場合の領域管理情報のフォーマットの例を示す図である。
【図１９】この発明の実施の形態３による情報処理装置における項目毎に各注目点を並べていく付加情報のフォーマットの例を示す図である。
【図２０】この発明の実施の形態３による埋め込み側の情報処理装置の処理例を説明する概念図である。
【図２１】この発明の実施の形態３による埋め込み側の情報処理装置の処理例を説明する他の概念図である。
【図２２】この発明の実施の形態４による埋め込み側の情報処理装置の構成を示すブロック図である。
【図２３】この発明の埋め込み側の情報処理装置を内部に実装した実施の形態５によるディジタルカメラの構成を示すブロック図である。
【図２４】この発明の埋め込み側の情報処理装置を内部に実装した実施の形態６によるカメラ付き携帯電話又はＰＣの構成を示すブロック図である。
【図２５】この発明の検出側の情報処理装置を内部に実装した実施の形態６によるカメラ付き携帯電話又はＰＣの構成を示すブロック図である。
【図２６】この発明の検出側の情報処理装置を内部に実装した実施の形態７によるプリンタの構成を示すブロック図である。
【発明を実施するための最良の形態】
【００１０】
以下、この発明をより詳細に説明するために、この発明を実施するための最良の形態について、添付の図面に従って説明する。
実施の形態１．
第１図はこの発明の実施の形態１による領域管理情報と付加情報を埋め込む埋め込み側の情報処理装置１０の構成を示すブロック図である。この情報処理装置１０は、画像表示手段１１と、注目点指定手段１２と、関連情報入力手段１３と、注目点入力切り替え手段１４と、付加情報変換手段１５と、埋め込み領域配分手段１６と、情報埋め込み手段１７とを備えている。【００１１】
次に埋め込み側の情報処理装置１０の動作について説明する。
画像表示手段１１は入力されたオリジナルディジタル入力画像１０１を表示すると共に、オリジナルディジタル入力画像１０１の画像サイズ情報１０２を出力する。注目点指定手段１２は、画像表示手段１１で表示されているオリジナルディジタル入力画像１０１上の所望の注目点を、ユーザの入力により指定して注目点の座標情報１０３を出力する。また、注目点指定手段１２は、必要に応じて画像上に注目点を示すマークを指定する際に、四角や丸等で形状及び大きさを指定する場合にはユーザの入力により、点等の所定の形状のみを配置する場合には自動的に、注目点のマーク情報１０４も指定して出力する。【００１２】
関連情報入力手段１３は指定した注目点に関連する関連情報をユーザから入力して、その関連情報のテキスト１０５を出力する。注目点入力切り替え手段１４は、ユーザの指定により、注目点指定手段１２と関連情報入力手段１３と埋め込み領域配分手段１６の各処理を注目点毎に対応付けて行わせる。【００１３】
付加情報変換手段１５は、注目点指定手段１２からの必要に応じての注目点のマーク情報１０４と、関連情報入力手段１３からの関連情報のテキスト１０５を入力し、必要に応じての注目点のマーク情報１０４と関連情報のテキスト１０５を付加情報１０６の形式に変換して出力すると共に注目点毎の付加情報量１０７を出力する。【００１４】
また、第１図における注目点の座標情報１０３の点線で示すように、付加情報変換手段１５は、注目点指定手段１２からの注目点の座標情報１０３と、注目点指定手段１２からの必要に応じての注目点のマーク情報１０４と、関連情報入力手段１３からの関連情報のテキスト１０５を入力し、注目点の座標情報１０３と必要に応じての注目点のマーク情報１０４と関連情報のテキスト１０５を付加情報１０６の形式に変換して出力すると共に注目点毎の付加情報量１０７を出力する場合もある。【００１５】
埋め込み領域配分手段１６は、画像表示手段１１からの画像サイズ情報１０２と、注目点指定手段１２からの注目点の座標情報１０３と、付加情報変換手段１５からの注目点毎の付加情報量１０７を入力し、画像サイズ情報１０２と注目点毎の付加情報量１０７に基づきオリジナルディジタル入力画像１０１上に付加情報１０６の埋め込み領域を配分し、注目点の座標情報１０３と注目点毎の付加情報量１０７を含む領域管理情報１０８を生成して出力すると共に、付加情報１０６の埋め込み領域を示す領域情報１０９を出力する。【００１６】
ここで、注目点指定手段１２からの注目点の座標情報１０３が付加情報変換手段１５に出力される場合には、埋め込み領域配分手段１６は、画像表示手段１１からの画像サイズ情報１０２と付加情報変換手段１５からの注目点毎の付加情報量１０７を入力し、画像サイズ情報１０２と注目点毎の付加情報量１０７に基づきオリジナルディジタル入力画像１０１上に付加情報１０６の埋め込み領域を配分し、注目点毎の付加情報量１０７を含む領域管理情報１０８を生成して出力すると共に、付加情報１０６の埋め込み領域を示す領域情報１０９を出力する。【００１７】
情報埋め込み手段１７は、埋め込み領域配分手段１６からの領域管理情報１０８を、予め定めているオリジナルディジタル入力画像１０１の所定領域に電子透かしにより埋め込むと共に、埋め込み領域配分手段１６からの領域情報１０９に基づき、付加情報変換手段１５からの付加情報１０６を、オリジナルディジタル入力画像１０１に電子透かしにより埋め込んで透かし入り画像１１０を出力する。【００１８】
ここで、情報埋め込み手段１７は、埋め込み領域配分手段１６からの領域管理情報１０８を、予め定めているオリジナルディジタル入力画像１０１の所定領域に埋め込んでいるが、埋め込み領域配分手段１６がユーザの指示により領域管理情報１０８の埋め込み領域も配分して領域情報１０９に含めて出力し、情報埋め込み手段１７が埋め込み領域配分手段１６からの領域情報１０９に基づき領域管理情報１０８を埋め込んでも良い。この場合には、領域管理情報１０８の埋め込み領域を検出側に通知して情報共有しておくものとする。【００１９】
また、埋め込み領域配分手段１６は、注目点毎の付加情報量１０７を参照して、オリジナルディジタル入力画像１０１上に付加情報１０６を埋め込む領域を配分するために、冗長となることなく最適な領域サイズを配分することができるが、意図的に冗長とすることもできる。例えば、固定量あるいは固定比率の冗長さを持たせて、埋め込む領域を配分することが考えられる。また、バイトやワード等の単位サイズの倍数の冗長さを持たせて、埋め込む領域を配分しても構わない。【００２０】
電子透かしにより埋め込まれる領域管理情報１０８と付加情報１０６は、暗号鍵を埋め込み側と検出側で取り決め、暗号化を適用してから埋め込み、検出の後に暗号化を解除しても構わない。この場合には、電子透かしによる埋め込みの前段として、埋め込み領域配分手段１６及び付加情報変換手段１５が領域管理情報１０８及び付加情報１０６の暗号化を行い、電子透かしの検出の後段として、後述の第２図に示す検出側の情報処理装置２０の埋め込み領域配分手段２３及び付加情報逆変換手段２４に領域管理情報１０８及び付加情報１０６の暗号化解除を行う機能を持たせれば良い。【００２１】
第２図はこの発明の実施の形態１による領域管理情報と付加情報を検出する検出側の情報処理装置２０の構成を示すブロック図である。この検出側の情報処理装置２０は、情報検出手段２１と、画像表示手段２２と、埋め込み領域配分手段２３と、付加情報逆変換手段２４と、注目点表示手段２５と、関連情報表示手段２６と、表示位置設定手段２７と、注目点表示切り替え手段２８とを備えている。【００２２】
次に検出側の情報処理装置２０の動作について説明する。
情報検出手段２１は、入力された透かし入り画像１１０から、予め埋め込み側の情報処理装置１０より通知されている所定領域に電子透かしにより埋め込まれている領域管理情報１０８を検出してディジタル出力画像１２１を出力する。【００２３】
ここで、領域管理情報１０８が所定領域に埋め込まれていない場合には、埋め込み領域配分手段２３が予め埋め込み側から通知を受けているユーザからの指示に基づき領域管理情報１０８の埋め込み領域を示す領域情報１０９を出力し、情報検出手段２１が、入力された透かし入り画像１１０から、領域情報１０９に基づき埋め込まれている領域管理情報１０８を検出する。【００２４】
画像表示手段２２は情報検出手段２１から出力されたディジタル出力画像１２１を表示すると共に、ディジタル出力画像１２１の画像サイズ情報１０２を出力する。【００２５】
埋め込み領域配分手段２３は、画像表示手段２２からの画像サイズ情報１０２と情報検出手段２１により検出された領域管理情報１０８に含まれている注目点毎の付加情報量１０７に基づき、付加情報１０６の埋め込み領域をディジタル出力画像１２１上に配分して、付加情報１０６の埋め込み領域を示す領域情報１０９を出力すると共に、領域管理情報１０８に含まれている注目点の座標情報１０３を出力する。【００２６】
また、注目点の座標情報１０３が付加情報１０６に含まれている場合には、埋め込み領域配分手段２３は、画像表示手段２２からの画像サイズ情報１０２と情報検出手段２１により検出された領域管理情報１０８に含まれている注目点毎の付加情報量１０７に基づき、付加情報１０６の埋め込み領域をディジタル出力画像１２１上に配分して、付加情報１０６の埋め込み領域を示す領域情報１０９を出力する。【００２７】
ここで、埋め込み領域配分手段２３が注目点毎の付加情報量１０７に基づき付加情報１０６の埋め込み領域を配分するアルゴリズムは、埋め込み側の情報処理装置１０の埋め込み領域配分手段１６による付加情報１０６の埋め込み領域を配分するアルゴリズムと同一のアルゴリズムとし、埋め込み側と検出側で予め決めておくものとする。【００２８】
情報検出手段２１は、埋め込み領域配分手段２３から出力された領域情報１０９に基づいて、透かし入り画像１１０から電子透かしにより埋め込まれている付加情報１０６を検出して出力する。【００２９】
付加情報逆変換手段２４は、情報検出手段２１から出力された付加情報１０６を逆変換して、関連情報のテキスト１０５と、注目点を示すマークが指定されているときは注目点のマーク情報１０４を出力する。
ここで、注目点の座標情報１０３が付加情報１０６に含まれている場合には、付加情報逆変換手段２４は、情報検出手段２１から出力された付加情報１０６を逆変換して、関連情報のテキスト１０５と、注目点の座標情報１０３と、注目点を示すマークが指定されているときは注目点のマーク情報１０４を出力する。【００３０】
注目点表示手段２５は、埋め込み領域配分手段２３又は付加情報逆変換手段２４から出力された注目点の座標情報１０３の位置に、注目点を示すマークが指定されているときは付加情報逆変換手段２４から出力されたマーク情報１０４に基づくマーク、マークが指定されていないときには予め取り決められたマークを、画像表示手段２２が表示しているディジタル出力画像１２１上に表示する。【００３１】
関連情報表示手段２６は、付加情報逆変換手段２４からの表示対象の注目点に関連する関連情報のテキスト１０５を入力し、テキスト１０５の文字数１２２を算出して出力する。表示位置設定手段２７は、埋め込み領域配分手段２３又は付加情報逆変換手段２４から出力された注目点の座標情報１０３と、付加情報逆変換手段２４からのマーク情報１０４と、関連情報表示手段２６からの関連情報のテキスト１０５の文字数１２２に基づき、注目点を隠さないように関連情報の最適な表示位置を設定し、設定した最適な表示位置情報１２３を出力する。【００３２】
関連情報表示手段２６は、表示位置設定手段２７から出力された最適な表示位置情報１２３に基づき、画像表示手段２２が表示しているディジタル出力画像１２１上に関連情報を表示する。注目点表示切り替え手段２８は、ユーザの指示に基づき埋め込み領域配分手段２３と注目点表示手段２５と関連情報表示手段２６の各処理を注目点毎に対応付けて行わせる。【００３３】
ここで、表示位置設定手段２７により設定された表示位置情報１２３は、表示対象の注目点に関連する関連情報のテキスト１０５の文字数１２２から表示に必要な表示領域を算出し、関連情報表示手段２６がその表示領域を特定する情報である。表示領域が例えば矩形であれば、表示位置情報１２３は対角の頂点の座標でも良いし、あるいは表示領域の大きさが関連情報表示手段２６にとって自明であれば、表示位置情報１２３は矩形上の決められた１頂点の座標でも構わない。【００３４】
第１図及び第２図において、注目点のマーク情報１０４は、点も含めて、マークの形状や大きさ、線の太さ、必要ならば破線等のパターン等の図形情報から定義されるものとする。第１図に示す埋め込み側の情報処理装置１０の注目点指定手段１２がマーク情報１０４を予め指定しない場合には、第２図に示す検出側の情報処理装置２０の注目点表示手段２５が、所定のマーク定義項目の内容を決定して注目点を表示することになる。【００３５】
上記に説明したように、注目点の座標情報１０３は領域管理情報１０８又は付加情報１０６に含まれている。第１図において、注目点指定手段１２が出力する注目点の座標情報１０３が、埋め込み領域配分手段１６又は付加情報変換手段１５のどちらに入力されるかは、注目点の座標情報１０３が領域管理情報１０８又は付加情報１０６のどちらに含まれるかによる。同様に、第２図において、注目点の座標情報１０３が埋め込み領域配分手段２３又は付加情報逆変換手段２４のどちらから出力されるかは、第１図において、注目点の座標情報１０３が領域管理情報１０８又は付加情報１０６のどちらに含まれているかによる。【００３６】
第３図は注目点の座標情報１０３が領域管理情報１０８に含まれる場合の領域管理情報１０８及び付加情報１０６のフォーマットの例を示す図である。第３図（ａ），（ｂ）が領域管理情報１０８のフォーマットの例を示し、第３図（ｃ），（ｄ）が付加情報１０６のフォーマットの例を示している。【００３７】
第３図（ａ）では、領域管理情報１０８に、注目点の数を示す領域管理情報量１３１と第１の注目点の座標情報１０３ａと第１の注目点の付加情報量１０７ａと第２の注目点の座標情報１０３ｂと第２の注目点の付加情報量１０７ｂが含まれている。この領域管理情報量１３１は検出側の情報処理装置の埋め込み領域配分手段２３に注目点の数を知らせるものであり、埋め込み領域配分手段２３はこの注目点の数だけ付加情報１０６の埋め込み領域の配分を行う。また、領域管理情報量１３１は、第１及び第２の注目点の座標情報１０３ａ，１０３ｂと第１及び第２の注目点の付加情報量１０７ａ，１０７ｂのフォーマットが同一であれば、領域管理情報１０８の全体サイズのバイト数であっても良く、全体のバイト数から固定サイズである領域管理情報量１３１のバイト数を減算し、固定サイズである１組の注目点座標１０３と付加情報量１０７の和バイト数で除算することにより注目点の数を求めることができる。【００３８】
第３図（ｂ）では、第３図（ａ）の領域管理情報量１３１の代わりに、フォーマットの終端で終了を示す終了識別子１３２が含まれており、埋め込み領域配分手段２３はこの終了識別子１３２を検出するまで付加情報１０６の埋め込み領域の配分を行う。【００３９】
第３図（ｃ）では、付加情報１０６に第１の注目点の関連情報のテキスト１０５ａと第２の注目点の関連情報のテキスト１０５ｂが含まれている。また、第３図（ｄ）では、付加情報１０６に第１の注目点のマーク情報１０４ａと第１の注目点の関連情報のテキスト１０５ａと第２の注目点のマーク情報１０４ｂと第２の注目点の関連情報のテキスト１０５ｂが含まれている。【００４０】
第４図は注目点の座標情報１０３が付加情報１０６に含まれる場合の領域管理情報１０８及び付加情報１０６のフォーマットの例を示す図である。第４図（ａ），（ｂ）が領域管理情報１０８のフォーマットの例を示し、第４図（ｃ），（ｄ）が付加情報１０６のフォーマットの例を示している。【００４１】
第４図（ａ）では、領域管理情報１０８に、注目点の数を示す領域管理情報量１３１と第１の注目点の付加情報量１０７ａと第２の注目点の付加情報量１０７ｂが含まれている。また、第４図（ｂ）では、第４図（ａ）の領域管理情報量１３１の代わりに、フォーマットの終端で終了を示す終了識別子１３２が含まれている。【００４２】
第４図（ｃ）では、付加情報１０６に第１の注目点の座標情報１０３ａと第１の注目点の関連情報のテキスト１０５ａと第２の注目点の座標情報１０３ｂと第２の注目点の関連情報のテキスト１０５ｂが含まれている。また、第４図（ｄ）では、付加情報１０６に第１の注目点の座標情報１０３ａと第１の注目点のマーク情報１０４ａと第１の注目点の関連情報のテキスト１０５ａと第２の注目点の座標情報１０３ｂと第２の注目点のマーク情報１０４ｂと第２の注目点の関連情報のテキスト１０５ｂが含まれている。【００４３】
なお、第３図及び第４図に示した領域管理情報１０８及び付加情報１０６のフォーマットについて、領域管理情報１０８における注目点の座標情報１０３と注目点の付加情報量１０７の順番、付加情報１０６における注目点の座標情報１０３と注目点のマーク情報１０４と注目点の関連情報のテキスト１０５等の順番は、図示した項目の順番に限らず、入れ替えたものでも構わない。【００４４】
第５図は埋め込み側の情報処理装置１０の処理例を説明する概念図である。ここでは、第５図（ａ）に示すように、２名の人物を被写体としたオリジナルディジタル入力画像１０１を対象として説明する。第５図（ｂ）に示すように、注目点指定手段１２からのユーザ入力により最初の対象の第１の注目点１４１ａが指定され、関連情報入力手段１３からのユーザ入力により、第１の注目点１４１ａに関連する関連情報が入力される。このとき、同時に注目点１４１ａを示すためのマークの形状やサイズで構成されるマーク情報１０４を注目点指定手段１０２により入力しても良い。そして、画像表示手段１１からの画像サイズ情報１０２と付加情報変換手段１５からの注目点１４１ａの付加情報量１０７に基づき、埋め込み領域配分手段１６により付加情報１０６の埋め込み領域１４２ａが配分されて領域情報１０９として出力され、情報埋め込み手段１７により付加情報１０６が領域情報１０９として出力された埋め込み領域１４２ａに埋め込まれる。【００４５】
続いて、第５図（ｃ）に示すように、同様な手順で２つ目の対象の第２の注目点１４１ｂとその関連情報が指定され、マーク情報１０４を入力し、第１の注目点１４１ａの付加情報１０６の埋め込み領域１４２ａと重ならないように、第２の注目点１４１ｂの付加情報１０６の埋め込み領域１４２ｂが配分され、付加情報１０６が埋め込み領域１４２ｂに埋め込まれる。最後に、第５図（ｄ）に示すように、情報埋め込み手段１７により領域管理情報１０８が予め決められている所定領域である埋め込み領域１４３に埋め込まれる。ここで、埋め込み領域１４３は、同図のように始点をオリジナルディジタル入力画像１０１の左上に固定しても良いし、別の位置に決めておいても構わない。この第５図では、最後に埋め込む埋め込み領域１４３が埋め込み領域１４１ａと重なっても良い例として示している。【００４６】
第６図は情報埋め込み手段１７の内部構成を示すブロック図である。この情報埋め込み手段１７は付加情報埋め込み手段３１と領域管理情報埋め込み手段３２とを備え、付加情報１０６を埋め込んだ後に、領域管理情報１０８を埋め込むように構成されている。この第６図に示す情報埋め込み手段１７により、第５図に示すように、領域管理情報１０８を埋め込む埋め込み領域１４３が付加情報１０６を埋め込む埋め込み領域１４２ａと重ねることができる。なお、第６図において、領域管理情報埋め込み手段３２に入力されている領域情報１０９は、領域管理情報１０８を所定領域に埋め込まない場合に、埋め込み領域配分手段１６から出力されるものである。【００４７】
第７図は埋め込み側の情報処理装置１０の処理例を説明する他の概念図である。第５図との相違点は、第１及び第２の注目点１４１ａ，１４１ｂの指定と関連情報の入力等を済ませてから、領域管理情報１０８の埋め込み領域１４３、第１の注目点１４１ａの付加情報１０６の埋め込み領域１４２ａ、第２の注目点１４１ｂの付加情報１０６の埋め込み領域１４２ｂが重ならないように配分されて埋め込みを行う点にある。第５図と同様に埋め込み領域１４３を特定できるのであれば、第７図のように必ずしもオリジナルディジタル入力画像１０１の左上から埋め込む必要はないし、埋め込み領域１４３を埋め込み領域１４２ａ，１４２ｂより先に埋め込まなくても良い。【００４８】
第８図は情報埋め込み手段１７の内部構成を示すブロック図である。この情報埋め込み手段１７は領域管理情報埋め込み手段３２と付加情報埋め込み手段３１とを備え、領域管理情報１０８を埋め込んだ後に、付加情報１０６を埋め込むように構成されている。第７図では、埋め込み領域１４３と埋め込み領域１４２ａ，１４２ｂが重ならないように配分されるため、情報埋め込み手段１７の詳細な内部構成は第６図でも第８図でも良い。なお、第８図において、領域管理情報埋め込み手段３２に入力されている領域情報１０９は、領域管理情報１０８を所定領域に埋め込まない場合に、埋め込み領域配分手段１６から出力されるものである。【００４９】
なお、第５図及び第７図において、領域管理情報１０８を所定領域に埋め込まない場合で、埋め込み領域配分手段１６が出力する領域管理情報１０８の埋め込み領域１４３を示す領域情報１０９を暗号化する場合に、ユーザにキーワードやＩＤ等の入力を求めて、単純にその入力値へ領域情報１０９を隠して含めても良いし、また入力値を暗号鍵として、暗号鍵なしに領域管理情報１０８の埋め込み領域１４３が正確にわからないようにしておけば、その後に検出される付加情報１０６の埋め込み領域１４２ａ，１４２ｂも正しく得られなくすることによって、画像と領域管理情報１０８や付加情報１０６の検出・分離を困難にすることができる。鍵と領域情報１０９の設定の関係は、鍵を決めた後で領域情報１０９を得て埋め込んでも良いし、あるいは先に埋め込んだ領域情報１０９から鍵を決めても構わない。【００５０】
第９図は検出側の情報処理装置２０の処理例を説明する概念図である。ここでは、検出側の情報処理装置２０における画像表示手段２２の表示画面が小さいという制約がある場合を想定して、関連情報を２名の人物を被写体に重ねて表示する例を示している。ここで、情報検出手段２１は透かし入り画像１１０の所定領域から領域管理情報１０８を抽出し、埋め込み領域配分手段２３は領域管理情報１０８に含まれている付加情報量１０７から領域情報１０９を求め、領域管理情報１０８に注目点の座標情報１０３が含まれている場合には、注目点の座標情報１０３も出力しているものとする。【００５１】
第９図（ａ）に示すように、情報検出手段２１から出力されたディジタル出力画像１２１を画像表示手段２２に表示する。ユーザが注目点表示切り替え手段２８により注目点を指定すると、埋め込み領域配分手段２３が指定された注目点に関する領域情報１０９を情報検出手段２１に出力する。情報検出手段２１は領域情報１０９により透かし入り画像１１０から付加情報１０６を抽出して出力する。付加情報逆変換手段２４は付加情報１０６を逆変換し、関連情報のテキスト１０５と、マーク情報１０４が含まれている場合にはマーク情報１０４と、注目点の座標情報１０３が含まれている場合には注目点の座標情報１０３を出力する。【００５２】
注目点表示手段２５は、埋め込み領域配分手段２３又は付加情報逆変換手段２４からの注目点の座標情報１０３と、マーク情報１０４が含まれている場合には付加情報逆変換手段２４からのマーク情報１０４に基づき、画像表示手段２２に表示されているディジタル出力画像１２１上に、図９（ｂ）に示すように、第１の注目点１４１ａ を表示する。このとき、第１の注目点１４１ａは座標情報１０３の位置に点で示されるか、あるいはマーク情報１０４に基づくマーク、例えば注目点の座標情報１０３の位置を中心とした例えば円で示される。また、関連情報表示手段２６は、表示位置設定手段２７により設定された表示位置情報１２３に基づき、関連情報のテキスト１０５を、画像表示手段２２に表示されているディジタル出力画像１２１上に、図９（ｂ）に示すように、第１の注目点１４１ａの表示位置と重ならないように関連情報内容１４４ａとして表示する。【００５３】
ユーザが注目点表示切り替え手段２８により次の注目点を指定すると、同様の処理により、図９（ｃ）に示すように、点又は例えば四角等のマークで第２の注目点１４１ｂを表示し、第２の注目点１４１ｂと重ならないように第２の注目点１４１ｂの関連情報のテキスト１０５を関連情報内容１４４ｂとして表示する。【００５４】
以上の処理は、ユーザが注目点を指定する毎に、第２図に示す各構成要素が各処理を行っているが、ユーザの指定を待たずに、第２図に示す各構成要素が、予めディジタル出力画像１２１上に注目点１４１と関連情報内容１４４を表示する前までの処理を行っておき、ユーザの指定を待ってから表示するようにしても良い。【００５５】
注目点表示切り替え手段２８による表示したい注目点の選択は、特定のボタン操作等による順送り切り替えや、注目点付近やマーク図形内にカーソルを位置させて特定のボタンが操作された場合に該当注目点を選択しても良い。また、注目点１４１と関連情報内容１４４は、必ずしも同時に表示する必要はなく、ボタン操作等で一方ずつ表示するようにしても良いし、表示されている注目点１４１を選択した後に、関連情報内容１４４を表示するようにしても構わない。【００５６】
ここで、マーク情報により表示されている注目点１４１は、関連情報内容１４４の表示位置とは完全に独立しており、必ずしも依存しなくて良いが、注目点１４１と関連情報内容１４４の関連がわかりにくい場合には、図９（ｂ），（ｃ）に示すように、その関連を例えば対応を示す線で表示するようにしても良い。【００５７】
第１０図は検出側の情報処理装置２０における情報検出手段２１の内部構成を示すブロック図である。この情報検出手段２１は領域管理情報抽出手段４１と付加情報抽出手段４２とを備え、領域管理情報抽出手段４１が領域管理情報１０８を先に抽出し、付加情報抽出手段４２が領域情報１０９により付加情報１０６を抽出するように構成されている。なお、第１０図において、領域管理情報抽出手段４１に入力されている領域情報１０９は、領域管理情報１０８が所定領域に埋め込まれていない場合に、埋め込み領域配分手段２３から出力されるものである。【００５８】
第１１図は検出側の情報処理装置２０における情報検出手段２１の内部構成を示すブロック図である。この情報検出手段２１は領域管理情報抽出手段４１と付加情報抽出手段４２と領域管理情報解除手段４３とを備えている。領域管理情報解除手段４３は、領域管理情報抽出手段４１が透かし入り画像１１０に埋め込まれている領域管理情報１０８を抽出して埋め込み領域配分手段２３に出力後に、透かし入り画像１１０に埋め込まれている領域管理情報１０８を解除するものである。【００５９】
第５図に示すように、領域管理情報１０８の埋め込み領域１４３が付加情報１０６の埋め込み領域１４２と重なる場合には、埋め込み領域１４３領域（Ｃ）の埋め込みに可逆な電子透かしを適用しておき、第１１図の領域管理情報解除手段４３が領域管理情報１０８を解除することにより、同じ位置に埋め込まれる電子透かしの適用回数を削減し、表示画質の劣化を抑制でき、次の付加情報１０６の埋め込みに適用される電子透かし方式への検出上の制約も軽くできる。これは、領域管理情報１０８の埋め込み領域１４３が付加情報１０６の埋め込み領域１４２と重ならない場合にも有効である。【００６０】
第１２図は検出側の情報処理装置２０における情報検出手段２１の内部構成を示すブロック図である。この情報検出手段２１は領域管理情報抽出手段４１と付加情報抽出手段４２と領域管理情報解除手段４３と付加情報解除手段４４とを備えている。付加情報解除手段４４は、付加情報抽出手段４２が透かし入り画像１１０に埋め込まれている付加情報１０６を抽出して付加情報逆変換手段２４に出力後に、透かし入り画像１１０に埋め込まれている付加情報１０６を解除するものである。【００６１】
付加情報１０６の埋め込み領域１４２にも可逆な電子透かしを適用しておき、第１２図に示す付加情報解除手段４４が付加情報１０６を解除することにより、さらに表示画質の劣化を抑制できる。なお、第１２図では領域管理情報解除手段４３と付加情報解除手段４４とを備えているが、付加情報解除手段４４のみを設けた構成をとることも可能である。【００６２】
電子透かしは、意図的な場合を除き、基本的に人間の目に感じない程度の画質劣化しか伴わないが、領域管理情報１０８の埋め込み領域１４３及び付加情報１０６の埋め込み領域１４２に可逆方式を適用しておき、第１２図に示すように、情報検出手段２１が領域管理情報解除手段４３と付加情報解除手段４４とを備えることにより、オリジナルディジタル入力画像１０１のままのディジタル出力画像１２１の表示画質が得られることになる。ただし、領域管理情報解除手段４３と付加情報解除手段４４とを備えている場合でも、画像表示手段２２には、電子透かしを解除したディジタル出力画像１２１を表示できるようになるまで、一時的に透かし入りのディジタル出力画像１２１をそのまま表示する構成をとっても構わない。【００６３】
ここで、電子透かしを解除されたディジタル出力画像１２１を検出側の情報処理装置２０から外部に出力する際には、画像データの著作権への保護対策を別途講じることが望ましい。同様に、画像データに含まれるディジタル音声データについても、電子透かし等による著作権の保護対策を講じておくことが望ましい。【００６４】
以上のように、この実施の形態１によれば、埋め込み側の情報処理装置１０における埋め込み領域配分手段１６と検出側の情報処理装置２０における埋め込み領域配分手段２３が、ユーザに対しては注目点を指定させるだけで、埋め込み領域の配分には直接関与させず、付加情報量１０７に基づいて埋め込み領域を最適なサイズで配分でき、あるいは冗長度を必要最小限に与えて配分することができ、全体画像領域上に付加情報１０６を効率的に埋め込むことができると共に、意図する関心領域だけを効果的に示すことができるいう効果が得られる。【００６５】
また、この実施の形態１によれば、埋め込み側の情報処理装置１０における埋め込み領域配分手段１６と検出側の情報処理装置２０における埋め込み領域配分手段２３が、領域管理情報１０８と付加情報１０６の埋め込み先を示す領域情報１０９について、電子透かしによって埋め込み領域の位置や形状を直接的に指定するのではなく、注目点の座標情報１０３と関連領域サイズを指定する付加情報量１０７を電子透かしにより埋め込んで伝達することで共有し、同一アルゴリズムを適用することによって両者共通の領域情報１０９を配分できるので、注目点の座標情報１０３と付加情報量１０７が解読されても、領域情報１０９を求めるアルゴリズムがわからなければ、実際に使用した領域情報１０９を配分できず、埋め込まれている関連情報のセキュリティを確保することができるという効果が得られる。【００６６】
さらに、この実施の形態１によれば、埋め込み側の情報処理装置１０における埋め込み領域配分手段１６と検出側の情報処理装置２０における埋め込み領域配分手段２３が注目点に対して配分する付加情報１０６の埋め込み領域は、矩形や円等の単純な形状で良いので、注目点の位置に対して独立に領域配分することにより、埋め込み領域の配分の自由度を向上させることができるという効果が得られる。【００６７】
さらに、この実施の形態１によれば、検出側の情報処理装置２０における注目点表示手段２５がマークを使用して注目点を表示することにより、付加情報１０６の埋め込み領域に依存することなく、埋め込み側のユーザが意図する注目点を確実に検出側のユーザに伝えることができるという効果が得られる。【００６８】
さらに、この実施の形態１によれば、従来では関心領域を不必要に大きくせざるを得ない状況で、関心領域と関連情報の埋め込み領域が一体となって曖昧となっていたが、検出側の情報処理装置２０において、第９図に示すように、注目点１４１の表示と関連情報内容１４４の表示を分離することにより、意図する注目点を確実に知らせることができるとという効果が得られる。【００６９】
さらに、この実施の形態１によれば、検出側の情報処理装置２０における表示位置設定手段２７が、表示画像上に重ねて関連情報を表示せざるを得ない制約下であっても、注目点の座標情報１０３と関連情報のテキスト１０５の文字数を先に参照することにより、注目点の付近を隠さないような関連情報の最適な表示位置を設定することができるという効果が得られる。【００７０】
実施の形態２．
上記実施の形態１では、電子透かしにより埋め込む付加情報量１０７の総量について特別な制御を行っていないが、この実施の形態２は、付加情報量１０７の総量を制御するようにしたものである。【００７１】
第１３図はこの発明の実施の形態２による埋め込み側の情報処理装置１０の構成を示すブロック図である。この埋め込み側の情報処理装置１０は、上記実施の形態１の第１図に示すこの埋め込み側の情報処理装置１０に、関連情報量調整手段１８を追加したものであり、その他の構成要素は第１図に示すものと同等のものである。【００７２】
次に埋め込み側の情報処理装置１０の動作について説明する。
関連情報量調整手段１８は、画像表示手段１１から出力される画像サイズ情報１０２に基づいて画像に埋め込める総付加情報量を最初に把握し、付加情報変換手段１５が出力する注目点毎の付加情報量１０７を入力し、オリジナルディジタル入力画像１０１に対して残りの埋め込み可能な残付加情報量１１１を関連情報入力手段１３に出力し、確定した付加情報量１１２を埋め込み領域配分手段１６に出力する。【００７３】
関連情報入力手段１３は、ユーザから入力される関連情報の量を関連情報量調整手段１８から出力された残付加情報量１１１以内に確定させて関連情報のテキスト１０５を出力する。また、埋め込み領域配分手段１６は、関連情報量調整手段１８からの確定した付加情報量１１２を入力して、上記実施の形態１と同様の処理を行う。その他の処理は上記実施の形態１と同様である。【００７４】
以上のように、この実施の形態２によれば、上記実施の形態１と同様の効果が得られると共に、関連情報量調整手段１８が、オリジナルディジタル入力画像１０１の画像サイズが十分大きくなく、埋め込む付加情報１０６の総量が制限されるときでも、常にオリジナルディジタル入力画像１０１に対して残りの埋め込み可能な残付加情報量１１１を関連情報入力手段１３に出力することにより、残付加情報量１１１に合わせた関連情報の入力をユーザに要求し、全体の付加情報量１０７を制御することができるという効果が得られる。【００７５】
実施の形態３．
上記実施の形態１では、検出側の情報処理装置２０が透かし入り画像１１０から関連情報の表示位置を設定しているが、この実施の形態３では、埋め込み側の情報処理装置１０が関連情報の表示位置を設定し、付加情報１０６の一部として埋め込むようにしたものである。【００７６】
第１４図はこの発明の実施の形態３による埋め込み側の情報処理装置１０の構成を示すブロック図である。この埋め込み側の情報処理装置１０は、上記実施の形態１の第１図に示す埋め込み側の情報処理装置１０に、表示位置設定手段１９を追加したものであり、その他の構成要素は第１図に示すものと同等のものである。【００７７】
次に埋め込み側の情報処理装置１０の動作について説明する。
関連情報入力手段１３は注目点毎に関連する関連情報を入力して関連情報のテキスト１０５を出力すると共にテキスト１０５の文字数１２２を出力する。表示位置設定手段１９は、注目点毎に、注目点指定手段１２が出力する注目点の座標情報１０３と必要であれば注目点のマーク情報１０４と、関連情報入力手段１３が出力する関連情報のテキスト１０５の文字数１２２に基づき、注目点を隠さないような関連情報の最適な表示位置を設定し、付加情報１０６の１要素として関連情報の表示位置情報１２３を付加情報変換手段１５へ出力する。【００７８】
第１４図に示す表示位置設定手段１９による表示位置情報１２３の設定は、上記実施の形態１の第２図の表示位置設定手段２７が設定している同一方法に基づけば良い。また、表示位置設定手段１９により設定された表示位置情報１２３は、注目点及びマーク情報１０４を隠さない位置というだけでなく、ユーザによる微調整を可能にし、他の背景の一部を隠さないようにする等、ユーザの意図まで配慮することができるものとする。【００７９】
第１５図はこの発明の実施の形態３による検出側の情報処理装置２０の構成を示すブロック図である。この検出側の情報処理装置２０は、上記実施の形態１の第２図に示す検出側の情報処理装置２０から、表示位置設定手段２７を削除したものであり、その他の構成要素は第２図に示すものと同等のものである。【００８０】
次に検出側の情報処理装置２０の動作について説明する。
付加情報逆変換手段２４は、情報検出手段２１から得た注目点の付加情報１０６の一部として表示位置情報１２３を検出し、関連情報表示手段２６へ出力する。その他の構成要素の処理は上記実施の形態１と同様である。【００８１】
第１６図は注目点の座標情報１０３が領域管理情報１０８に含まれる場合の付加情報１０６のフォーマットの例を示す図である。第１６図（ａ）では、付加情報１０６に第１の注目点の関連情報の表示位置情報１２３ａと第１の注目点の関連情報のテキスト１０５ａと第２の注目点の関連情報の表示位置情報１２３ｂと第２の注目点の関連情報のテキスト１０５ｂが含まれている。また、第１６図（ｂ）では、付加情報１０６に第１の注目点の関連情報の表示位置情報１２３ａと第１の注目点のマーク情報１０４ａと第１の注目点の関連情報のテキスト１０５ａと第２の注目点の関連情報の表示位置情報１２３ｂと第２の注目点のマーク情報１０４ｂと第２の注目点の関連情報のテキスト１０５ｂが含まれている。これらの場合の領域管理情報１０８のフォーマットの例は、上記実施の形態１の第３図（ａ），（ｂ）に示すものと同じである。【００８２】
第１７図は注目点の座標情報１０３が付加情報１０６に含まれる場合の付加情報１０６のフォーマットの例を示す図である。第１７図（ａ）では、付加情報１０６に第１の注目点の座標情報１０３ａと第１の注目点の関連情報の表示位置情報１２３ａと第１の注目点の関連情報のテキスト１０５ａと第２の注目点の座標情報１０３ｂと第２の注目点の関連情報の表示位置情報１２３ｂと第２の注目点の関連情報のテキスト１０５ｂが含まれている。【００８３】
また、第１７図（ｂ）では、付加情報１０６に第１の注目点の座標情報１０３ａと第１の注目点の関連情報の表示位置情報１２３ａと第１の注目点のマーク情報１０４ａと第１の注目点の関連情報のテキスト１０５ａと第２の注目点の座標情報１０３ｂと第２の注目点の関連情報の表示位置情報１２３ｂと第２の注目点のマーク情報１０４ｂと第２の注目点の関連情報のテキスト１０５ｂが含まれている。これらの場合の領域管理情報１０８のフォーマットの例は、上記実施の形態１の第４図（ａ），（ｂ）に示すものと同じである。【００８４】
なお、第１６図及び第１７図に示す付加情報１０６のフォーマットについて、注目点の関連情報の表示位置情報１２３、注目点のマーク情報１０４、注目点の関連情報のテキスト等の順番は、図示した項目の順番に限らず、入れ替えたものでも構わない。【００８５】
第１８図は付加情報１０６に注目点の関連情報のテキスト１０５のみが含まれる場合の領域管理情報１０８のフォーマットの例を示す図である。このときの付加情報１０６のフォーマットは上記実施の形態１の第３図（ｃ）となる。第１８図（ａ）は注目点毎に各項目を並べていくフォーマットであり、第１８図（ｂ）は項目毎に各注目点を並べていくフォーマットである。第１８図（ｂ）に示すような並べ方は、上記実施の形態１の第３図（ａ），（ｂ）の領域管理情報１０８のフォーマットにおいても適用できる。【００８６】
この場合、第１４図の付加情報変換手段１５は関連情報のテキスト１０５のみ入力して付加情報１０６に変換し、その他の注目点の座標情報１０３とマーク情報１０４は埋め込み領域配分手段１６へ入力して領域管理情報１０８に加えられ、第１５図の付加情報逆変換手段２４は付加情報１０６から関連情報のテキスト１０５のみを出力し、埋め込み領域配分手段２３は領域管理情報１０８からその他の注目点の座標情報１０３とマーク情報１０４を出力するものとする。【００８７】
第１９図は項目毎に各注目点を並べていく付加情報１０６のフォーマットの例を示す図であり、ここでは、第１７図（ｂ）に示す付加情報１０６のフォーマットを、第１８図（ｂ）と同様に項目毎に各注目点を並べたものである。【００８８】
なお、この第１８図に示す領域管理情報１０８のフォーマットの例及び第１９図に示す付加情報１０６のフォーマット例は、上記実施の形態１，２に示す情報処理装置及び後述の実施の形態４に示す情報処理装置にも適用が可能である。また、第１８図及び第１９図では、上記実施の形態１の第３図及び第４図に示す項目構成数が最大の例について示しているが、その他の例についてもこの概念は適用が可能である。【００８９】
第２０図は埋め込み側の情報処理装置１０の処理例を説明する概念図である。ここでは、実施の形態１の第５図と同様に、２名の人物を被写体としたオリジナルディジタル入力画像１０１を対象として説明する。第５図（ｂ）に示すように、注目点指定手段１２からのユーザ入力により最初の対象の第１の注目点１４１ａが指定され、関連情報入力手段１３からのユーザ入力により、第１の注目点１４１ａの関連情報が入力される。このとき、同時に注目点１４１ａを示すためのマークの形状やサイズで構成されるマーク情報１０４を注目点指定手段１２により入力しても良い。【００９０】
次に表示位置設定手段１９は、注目点指定手段１２が出力する注目点１４１ａの座標情報１０３と必要であれば注目点のマーク情報１０４と、関連情報入力手段１３が出力する関連情報のテキスト１０５の文字数１２２に基づき、注目点１４１ａを隠さないような関連情報の最適な表示位置１４５ａを設定し、付加情報１０６の１要素として関連情報の表示位置情報１２３を付加情報変換手段１５へ出力する。そして、上記実施の形態１の第５図（ｂ）と同様に、情報埋め込み手段１７により付加情報１０６が領域情報１０９として出力された埋め込み領域１４２ａに埋め込まれる。【００９１】
続いて、第２０図（ｃ）に示すように、同様な手順で２つ目の対象の第２の注目点１４１ｂと注目点１４１ｂを隠さないような関連情報の最適な表示位置１４５ｂが設定され、マーク情報１０４を入力し、埋め込み領域１４２ｂが配分され、付加情報１０６が埋め込み領域１４２ｂに埋め込まれる。最後に、第２０図（ｄ）に示すように、上記実施の形態１の第５図（ｄ）と同様に、情報埋め込み手段１７により領域管理情報１０８が埋め込み領域１４３に埋め込まれる。【００９２】
第２１図は埋め込み側の情報処理装置１０の処理例を説明する他の概念図である。第２０図との相違点は、第２１図（ｂ）に示すように、第１及び第２の注目点１４１ａ，１４１ｂの指定と関連情報の最適な表示位置１４５ａ，１４５ｂの設定等を済ませてから、第２１図（ｃ），（ｄ）に示すように、領域管理情報１０８の埋め込み領域１４３、第１の注目点１４１ａの付加情報１０６の埋め込み領域１４２ａ、第２の注目点１４１ｂの付加情報１０６の埋め込み領域１４２ｂが重ならないように配分されて埋め込みを行う点にある。第２０図と同様に埋め込み領域１４３を特定できるのであれば、第２１図のように必ずしもオリジナルディジタル入力画像１０１の左上から埋め込む必要はないし、埋め込み領域１４３を埋め込み領域１４２ａ，１４２ｂより先に埋め込まなくても良い。【００９３】
以上のように、この実施の形態３によれば、上記実施の形態１と同様の効果が得られると共に、表示画像上に重ねて関連情報を表示せざるを得ない制約下であっても、埋め込み側の情報処理装置１０の表示位置設定手段１９によって関連情報の表示位置１４５を予め設定しておくことによって、検出側の情報処理装置２０の表示位置設定手段２７を設ける必要がなく、またユーザが微調整を加えることによりさらに意図を反映した最適な表示位置に関連情報を表示できるという効果が得られる。【００９４】
実施の形態４．
この実施の形態４による埋め込み側の情報処理装置１０は、上記実施の形態２の付加情報量の調整及び上記実施の形態３の関連情報の表示位置の設定の両方を実行するようにしたものである。【００９５】
第２２図はこの発明の実施の形態４による埋め込み側の情報処理装置１０の構成を示すブロック図である。この埋め込み側の情報処理装置１０は、上記実施の形態３の第１４図に示す埋め込み側の情報処理装置１０に、関連情報量調整手段１８を追加したものであり、その他の構成要素は第１４図に示すものと同等のものである。【００９６】
この埋め込み側の情報処理装置１０における関連情報量調整手段１８の処理は上記実施の形態２と同様であり、表示位置設定手段１９の処理は上記実施の形態３と同様であり、その他の構成の処理は上記実施の形態１と同様である。【００９７】
以上のように、この実施の形態４によれば、上記実施の形態１と同様の効果が得られると共に、上記実施の形態２及び上記実施の形態３の効果を同時に得ることができるという効果が得られる。【００９８】
上記実施の形態１から上記実施の形態４に示される情報処理装置は、ハードウェアで構成しても良いし、パーソナルコンピュータ（以下、ＰＣ）等の汎用装置上のソフトウェアプログラムとして構成しても良い。また、ハードウェアとソフトウェアの組合せにより構成しても良い。【００９９】
さらに、上記実施の形態１から上記実施の形態４に示される情報処理装置において、領域管理情報１０８及び注目点毎の付加情報１０６の埋め込み領域は１つの領域として示してきたが、画像サイズ情報１０２と付加情報量１０７に基づいて、埋め込み領域配分手段１６，２３はそれぞれを複数の部分領域に分割して統合管理できるのであれば、各埋め込み領域を単一領域に限定する必要はなく、また、領域の形状も矩形に限らず自由に設定できる。【０１００】
なお、上記実施の形態１から上記実施の形態４に示される情報処理装置において、情報埋め込み手段１７及び情報検出手段２１で適用する電子透かし方式は、上記特許文献１に記載される方式に限らず、その他の方式であっても構わない。【０１０１】
実施の形態５．
この実施の形態５では、上記実施の形態１から上記実施の形態４で説明した埋め込み側の情報処理装置１０を内部に実装したディジタルカメラについて説明する。
第２３図はこの発明の埋め込み側の情報処理装置１０を内部に実装した実施の形態５によるディジタルカメラ２１０の構成を示すブロック図である。このディジタルカメラ２１０は、撮像手段２１１と、埋め込み側の情報処理装置１０と、蓄積手段２１２とを備えている。【０１０２】
次に動作について説明する。
撮像手段２１１は被写体を撮影してオリジナルディジタル入力画像１０１として出力する。埋め込み側の情報処理装置１０は、上記実施の形態１から上記実施の形態４で説明したように、領域管理情報１０８及び付加情報１０６をオリジナルディジタル入力画像１０１に電子透かしにより埋め込んで透かし入り画像１１０を出力する。蓄積手段２１２は、透かし入り画像１１０を蓄積し、媒体や外付け装置２１３を介して外部に出力する。【０１０３】
ここで、オリジナルディジタル入力画像１０１は、電子透かしの埋め込み前に、蓄積手段２１２に一度蓄積してから、再度読み出して埋め込み側の情報処理装置１０が電子透かしにより領域管理情報１０８及び付加情報１０６を埋め込んでも構わない。また、媒体や外付け装置２１３からオリジナルディジタル入力画像１０１を蓄積手段２１２に読み込んで電子透かしによる埋め込みを適用しても良い。【０１０４】
ここで、媒体や外付け装置２１３における媒体とは、電気的、磁気的、光学的に記録される半導体メモリ媒体、ディスク媒体、カード媒体を指し、蓄積手段２１２内部で画像データを交換するために書き込む形態あるいは読み込む形態を指す。また、読み込み専用、書き換え可能である性質によらない。媒体や外付け装置２１３における外付け装置とは、蓄積手段２１２外部で画像データを交換するために、有線や無線によって媒体等へ出力して書き込む形態、あるいは入力して読み込む形態を指し、媒体や外付け装置２１３との接続インタフェースによらないものとする。【０１０５】
以上のように、この実施の形態５によれば、上記実施の形態１から上記実施の形態４による埋め込み側の情報処理装置１０をディジタルカメラ２１０に適用することができるという効果が得られる。【０１０６】
実施の形態６．
この実施の形態６では、上記の実施の形態１から上記実施の形態４で説明した埋め込み側の情報処理装置１０及び検出側の情報処理装置２０を内部に実装したカメラ付き携帯電話又はＰＣについて説明する。
第２４図はこの発明の埋め込み側の情報処理装置１０を内部に実装した実施の形態６によるカメラ付き携帯電話２２０又はＰＣ２３０の構成を示すブロック図である。このカメラ付き携帯電話２２０又はＰＣ２３０は、撮像手段２２１と、埋め込み側の情報処理装置１０と、蓄積手段２２２と、送信手段２２３と、受信手段２２４とを備えている。【０１０７】
次に第２４図に示すカメラ付き携帯電話２２０又はＰＣ２３０の動作について説明する。
撮像手段２２１は被写体を撮影してオリジナルディジタル入力画像１０１として出力する。埋め込み側の情報処理装置１０は、上記実施の形態１から上記実施の形態４で説明したように、領域管理情報１０８及び付加情報１０６をオリジナルディジタル入力画像１０１に電子透かしにより埋め込んで透かし入り画像１１０を出力する。送信手段２２３は透かし入り画像１１０を通信２２６により外部に送出する。【０１０８】
ここで、オリジナルディジタル入力画像１０１は、電子透かしによる埋め込み前に、蓄積手段２２２に一度蓄積してから、再度読み出して電子透かしにより埋め込んでも構わない。また、オリジナルディジタル入力画像１０１は、受信手段２２４から通信２２６により装置外部から取り込み、蓄積手段２２２に一度蓄積してから、再度読み出して電子透かしにより埋め込んでも構わない。あるいは、受信手段２２４から取り込んで、そのまま電子透かしにより埋め込んでも構わない。さらに、オリジナルディジタル入力画像１０１は、蓄積手段２２２を介して媒体や外付け装置２２５から装置内部に直接入力しても構わない。【０１０９】
また、透かし入り画像１１０は、送信前に蓄積手段２２２に一度蓄積してから、再度読み出して送信しても良く、媒体や外付け装置２２５から装置外部に直接出力しても構わない。【０１１０】
通信２２６とは、有線や無線の通信を指し、変調方法、振幅、波長、アナログとディジタルの違い等によらない。また、インターネット等による構内網や広域網、一時的接続や常時接続、専用網や公衆網にもよらない。【０１１１】
第２５図はこの発明の検出側の情報処理装置２０を内部に実装した実施の形態６によるカメラ付き携帯電話２４０又はＰＣ２５０の構成を示すブロック図である。このカメラ付き携帯電話２４０又はＰＣ２５０は、受信手段２４１と、検出側の情報処理装置２０と、蓄積手段２４２と、送信手段２４３とを備えている。【０１１２】
次に第２５図に示すカメラ付き携帯電話２４０又はＰＣ２５０の動作について説明する。
受信手段２４１は透かし入り画像１１０を通信２４５により装置外部から取り込む。検出側の情報処理装置２０は、上記実施の形態１から上記実施の形態４で説明したように、領域管理情報１０８及び付加情報１０６を透かし入り画像１１０から電子透かしにより検出して、ディジタル出力画像１２１を出力する。蓄積手段２４２は、ディジタル出力画像１２１を蓄積し、媒体や外付け装置２４４を介して外部に出力する。【０１１３】
ここで、透かし入り画像１１０を、電子透かしによる検出前に、蓄積手段２４２に一度蓄積してから、再度読み出して電子透かしにより領域管理情報１０８及び付加情報１０６を検出しても良く、蓄積手段２４２を介して媒体や外付け装置２４４から装置内部に直接入力してから、電子透かしにより領域管理情報１０８及び付加情報１０６を検出しても構わない。【０１１４】
また、ディジタル出力画像１２１は、送信手段２４３から通信２４５により装置外部へそのまま送信しても良く、あるいは、送信前に蓄積手段２４２に一度蓄積してから、再度読み出して送信しても構わない。【０１１５】
以上のように、この実施の形態６によれば、上記実施の形態１から上記実施の形態４による埋め込み側の情報処理装置１０及び検出側の情報処理装置２０を、カメラ付き携帯電話２２０，２４０又はＰＣ２３０，２５０に適用することができるという効果が得られる。【０１１６】
実施の形態７．
この実施の形態７では、上記の実施の形態１から上記実施の形態４で説明した検出側の情報処理装置２０を内部に実装したプリンタについて説明する。
第２６図はこの発明の検出側の情報処理装置２０を内部に実装した実施の形態７によるプリンタ２６０の構成を示すブロック図である。このプリンタ２６０は、検出側の情報処理装置２０と、蓄積手段２６１と、記録手段２６２とを備えている。【０１１７】
次に動作について説明する。
検出側の情報処理装置２０は、媒体や外付け装置やＰＣ２６３を介して外部より入力された透かし入り画像１１０から、上記実施の形態１から上記実施の形態４で説明したように、領域管理情報１０８及び付加情報１０６を電子透かしにより検出して、ディジタル出力画像１２１を出力する。記録手段２６２は第９図に示すようなディジタル出力画像１２１に注目点の関連情報の表示を含めて出力する。【０１１８】
ここで、透かし入り画像１１０を、電子透かしによる検出前に蓄積手段２６１に一度蓄積してから、再度読み出して領域管理情報１０８及び付加情報１０６を検出しても構わない。また、ディジタル出力画像１２１を、記録手段２６２による記録前に、蓄積手段２６１に一度蓄積してから、再度読み出して記録しても構わない。【０１１９】
以上のように、この実施の形態７によれば、上記実施の形態１から上記実施の形態４による検出側の情報処理装置２０をプリンタ２６０に適用することができるという効果が得られる。【０１２０】
上記実施の形態５から上記実施の形態７に示されるディジタルカメラ２１０、カメラ付き携帯電話２２０，２４０、ＰＣ２３０，２５０、プリンタ２６０は、情報処理装置の応用形態の一例を示したもので、同一構成で実現できるその他の応用形態についても適用可能である。例えば、上記実施の形態７の第２６図に示す構成では、媒体や外付け装置やＰＣ２６３を介して撮像手段としてのスキャナを接続すれば、同一構成でファクシミリ装置を実現することも可能である。【０１２１】
また、これらの応用形態において、既存の装置に対して、この発明の情報処理装置の機能をハードウェアとして予め組み込む構成だけでなく、媒体や通信を介してソフトウェア（プラグイン、アドインソフトウェア）を読み込むことにより組み込んで、付加的に機能拡張及び最新版への更新を行う方法をとっても構わない。このソフトウェアの読み込みによって機能拡張を行う既存の装置自体がソフトウェアであっても構わない。
【産業上の利用可能性】
【０１２２】
以上のように、この発明に係る情報処理装置及び情報処理方法は、注目点の付加情報を電子透かしにより画像に埋め込む場合に、付加情報量を参照して埋め込み領域を配分するものであり、ディジタルカメラ、カメラ付き携帯電話、ＰＣ、プリンタ等に用いるのに適している。
【図１】
0004309428.tif 000002
【図２】
0004309428.tif 000003
【図３】
0004309428.tif 000004
【図４】
0004309428.tif 000005
【図５】
0004309428.tif 000006
【図６】
0004309428.tif 000007
【図７】
0004309428.tif 000008
【図８】
0004309428.tif 000009
【図９】
0004309428.tif 000010
【図１０】
0004309428.tif 000011
【図１１】
0004309428.tif 000012
【図１２】
0004309428.tif 000013
【図１３】
0004309428.tif 000014
【図１４】
0004309428.tif 000015
【図１５】
0004309428.tif 000016
【図１６】
0004309428.tif 000017
【図１７】
0004309428.tif 000018
【図１８】
0004309428.tif 000019
【図１９】
0004309428.tif 000020
【図２０】
0004309428.tif 000021
【図２１】
0004309428.tif 000022
【図２２】
0004309428.tif 000023
【図２３】
0004309428.tif 000024
【図２４】
0004309428.tif 000025
【図２５】
0004309428.tif 000026
【図２６】
0004309428.tif 000027